(57)【要約】無線チャネル（２０）を介してＲＦＩＤリーダ（１）と複数個のトランスポンダ（２ａ，２ｂ）との間における通信方法を開示する。この方法は、無線チャネル（２０）のノイズレベル（ＳＮ）を測定するステップと、ノイズレベル（ＳＮ）の測定結果に基づく誤り訂正アルゴリズム（ＥＣＡ１，ＥＣＡ２，…，ＥＣＡｘ）を選択するステップと、およびＲＦＩＤリーダ（１）およびトランスポンダ（２ａ，２ｂ）の双方を選択した誤り訂正アルゴリズムにセットするステップと、を有する。さらに、本発明方法を実行するよう構成したＲＦＩＤリーダ（１）を開示する。
2009519660.tif 000002
【特許請求の範囲】
【請求項１】
無線チャネルを介してＲＦＩＤリーダとトランスポンダとの間で通信する方法において、
前記無線チャネルのノイズレベルを測定するステップと、
前記ノイズレベルの測定結果によって誤り訂正アルゴリズムを選択するステップと、
前記ＲＦＩＤリーダおよび前記トランスポンダの双方を、選択した誤り訂正アルゴリズムにセットするステップと
を有することを特徴とする通信方法。
【請求項２】
請求項１に記載の通信方法において、前記ノイズレベルを測定するステップおよび前記誤り修正アルゴリズムを選択するステップを、前記ＲＦＩＤリーダ内で実行し、このＲＦＩＤリーダは選択した誤り訂正アルゴリズムに関する選択情報を前記トランスポンダに送信することを特徴とする通信方法。
【請求項３】
請求項１に記載の通信方法において、前記誤り訂正アルゴリズムを選択するステップを、高いノイズレベル、または不安定もしくは上昇基調のノイズレベル変動を示す場合は、より強い誤り訂正アルゴリズムを選択し、低いノイズレベル、または下降基調のノイズレベル変動を示す場合は、より弱い誤り訂正アルゴリズムを選択するよう構成したことを特徴とする通信方法。
【請求項４】
請求項１に記載の通信方法において、前記誤り訂正アルゴリズムを選択するステップは、誤り訂正アルゴリズムの使用または不使用の選択としたことを特徴とする通信方法。
【請求項５】
請求項１に記載の通信方法において、前記無線チャネルの誤り率レベルを決定し、誤り訂正アルゴリズムの選択において考慮することを特徴とする通信方法。
【請求項６】
無線チャネルを介してトランスポンダと通信できるように構成したＲＦＩＤリーダにおいて、
前記無線チャネルのノイズレベルを測定するノイズレベル測定手段と、
前記ノイズレベルの測定結果によって誤り訂正アルゴリズムを選択する誤り訂正アルゴリズム選択手段と、
を備え、前記ＲＦＩＤリーダは、前記選択した誤り訂正アルゴリズムに自らをセットし、選択した誤り訂正アルゴリズムに関する選択情報をトランスポンダに送信するよう構成した、ことを特徴としたＲＦＩＤリーダ。
【請求項７】
請求項６に記載のＲＦＩＤリーダにおいて、前記誤り訂正アルゴリズム選択手段は、高いノイズレベル、または不安定もしくは上昇基調のノイズレベル変動を示す場合により強い誤り訂正アルゴリズムを選択し、低いノイズレベル、または下降基調のノイズレベル変動を示す場合により弱い誤り訂正アルゴリズムを選択するよう構成したことを特徴とするＲＦＩＤリーダ。
【請求項８】
請求項６に記載のＲＦＩＤリーダにおいて、前記誤り訂正アルゴリズム選択手段は、誤り訂正アルゴリズムの使用または不使用の選択をするよう構成したことを特徴とするＲＦＩＤリーダ。
【請求項９】
請求項６に記載のＲＦＩＤリーダにおいて、無線チャネルの誤り率レベルを決定するよう構成し、前記誤り修正アルゴリズム選択手段が誤り訂正アルゴリズムの選択において前記誤り率水準を考慮するよう構成したことを特徴とするＲＦＩＤリーダ。
【発明の詳細な説明】
【技術分野】
【０００１】
本発明は、ＲＦＩＤリーダとトランスポンダとの間で無線チャネルを介して通信方法に関するものである。
本発明は、無線チャネルを介してトランスポンダと通信するよう構成したＲＦＩＤリーダに関するものである。
【背景技術】
【０００２】
デジタル通信システムは、トラフィックデータが通信される通信チャネルを利用する。これらのチャネルは概して帯域幅に限界があり、有限のチャネル容量を持っている。種々の形態のノイズや混信といったチャネル内の他の特性により、チャネル容量は、チャネルを通じて通信されるトラフィックデータに誤り状態が注入される統計的な確率を生み出す、もしくはその原因となる。これらの誤り状態の影響は特にＲＦＩＤ等の、ＲＦＩＤトランスポンダ等の遠隔ステーションがＲＦＩＤリーダ等の中心ステーションと通信する、概して予測不可能な無線通信チャネルを利用する無線通信システムで顕著である。
【０００３】
これらの誤り状態を取り除く、もしくは少なくとも減らす第１の手法は、トラフィックデータにチェックサムを送信ステーションで付加し、受信ステーションで周期的（巡回）冗長チェック（ＣＲＣ）を実行することである。もしＣＲＣにより受信データが誤りを含むことが分かれば、データは破棄される。言い換えると、誤りを含まない受信データだけが受信ステーションにおいて評価され、引き続き処理される。データが誤りを含む場合は、受信ステーションは送信ステーションに発生した誤りを伝え、送信ステーションにデータの再送信を要請しなくてはならないが、これは通信率の低下につながる。
【０００４】
誤りを含んだデータを破棄する必要性を排除するために、第２の手法として誤り訂正アルゴリズムを利用する。しかし、誤り訂正アルゴリズムの利用は必ず通信システムの代償を伴う。すべての誤り訂正アルゴリズムは、送信されるトラフィックデータに誤り認識と誤り訂正のための、冗長データが付加されているという共通の特徴を持つ。結果として、通信チャネルを通じて送信される冗長データのオーバーヘッドが発生し、トラフィックデータの送信のための帯域幅を狭めることとなる。このトラフィックデータ転送効率の減少は概して通信データ転送速度を減少させる。特に、ＲＦＩＤシステムの衝突防止アルゴリズムの処理速度に大きく影響する。そのため、場合によっては、誤り訂正アルゴリズムが採用されていない方がより高いトラフィックデータ転送効率を達成することができる。とくに通信チャネルがほとんどもしくは全く阻害されていない場合、データが散発的に破棄され、再送信されなくてはならないことを許容する方が、誤り訂正冗長データの送信による連続的な帯域幅の減少を容認することよりも、よりよい戦略である。
【０００５】
結果として、ＲＦＩＤリーダ等の中心ステーションとトランスポンダ等の遠隔ステーションとの間で送信されるトラフィックデータの総量を最大化する、誤り訂正アルゴリズムを備えた通信システムが必要とされる。
【０００６】
特許文献１（米国特許第６３１４５３５号）には、上記の問題を軽減する方法が記載されている。この方法によると、初期誤り訂正アルゴリズムを選択し、誤り訂正冗長データも含むパケットに符号化した複数個の第１のトラフィックデータを、第１と第２の通信ターミナル間で通信チャネルを通じて送信する。第１多重パケット送信中に、通信チャネルの誤り率レベルを決定する。誤り率レベルは、例えば欠陥のある訂正済みデータのパケットの個数を測定するといった技術により決定できる。決定した誤り率レベルに基づいて、複数の誤り訂正アルゴリズムの中からその後の誤り訂正アルゴリズムを選択する。
【特許文献１】米国特許第６３１４５３５号明細書
【発明の開示】
【発明が解決しようとする課題】
【０００７】
この既知の方法は、誤り訂正データのオーバーヘッドが異なる誤り訂正アルゴリズム間で大きく変動し、経験則として、誤り訂正冗長データのオーバーヘッドの量が、誤り訂正アルゴリズムが強くなるにつれて増加する、という事実を上手に利用している一方、上記の方法は、通信の初期段階で選択した誤り訂正アルゴリズムが、その時点における通信チャネルの性質に完全に不適切である場合がある、という欠点を有する。この理由は、上記の動的な誤り訂正アルゴリズムの補正は、誤り率レベルを決定するまで何回も無線チャネルを通じて「試験」データパケットを送信する必要がある冗長な手順であるからである。２通信ターミナル間での更なる通信においては、上記の方法が有益な結果を出すまでの過渡時間は重要ではないが、特にＲＦＩＤリーダが、いくつの、かつどのトランスポンダが通信範囲にあるか割り出す必要のあるＲＦＩＤシステムの識別手順において、ほとんどのＲＦＩＤリーダとトランスポンダ間の通信は、特に確実にトランスポンダを識別するのに必要な衝突防止アルゴリズムに起因する初期の識別手順にそって行われるため、この過渡時間は許容されない。トランスポンダが認識された後、そのトランスポンダとＲＦＩＤリーダの間にその後の通信が殆ど起こらないように、トランスポンダはＲＦＩＤリーダにより「休止状態にされる」。したがって、特にＲＦＩＤリーダとトランスポンダ間の無線チャネルを通じた通信の初期段階で有効な、誤り訂正アルゴリズムの動的な適応がなお必要とされる。とくに、解決策は通信の初期段階においても有益な結果をもたらす必要がある。
【０００８】
本発明の目的は、上述の欠点を回避する、冒頭の段落で定義されたタイプの方法、そして冒頭の第２段落で定義されたタイプのＲＦＩＤリーダを得るにある。
【課題を解決するための手段】
【０００９】
上述の目的は、無線チャネルを介してＲＦＩＤリーダとトランスポンダとの間で通信する方法であって、無線チャネルのノイズレベルを測定するステップと、ノイズレベルの測定の結果によって誤り訂正アルゴリズム選択を選択するステップと、そしてＲＦＩＤリーダおよびトランスポンダ双方を選択した誤り訂正アルゴリズムにセットするステップとを有する方法により達成することができる。
【００１０】
さらに、上述の目的は、無線チャネルを介してトランスポンダと通信できるように構成したＲＦＩＤリーダであって、無線チャネルのノイズレベルを測定するノイズレベル測定手段と、ノイズレベルの測定結果によって誤り訂正アルゴリズムを選択する誤り訂正アルゴリズム選択手段とを備え、前記ＲＦＩＤリーダは、前記選択した誤り訂正アルゴリズムに自らをセットし、選択した誤り訂正アルゴリズムに関する選択情報をトランスポンダに送信するよう構成した、ことを特徴としたＲＦＩＤリーダにより達成することができる。
【００１１】
本発明の特徴的構成によれば、ノイズレベルの測定に基づいて、ＲＦＩＤリーダとトランスポンダとの間における通信の初期に、予め適切なタイプの誤り訂正アルゴリズムを選択することができるという利点を有する。この初期の誤り訂正アルゴリズムの「推測」が最適の結果をもたらさない場合もあるが、誤り訂正を適用する際に良好な出発点となる。ＲＦＩＤリーダとトランスポンダとの間における更なる通信プロセスにおいて、更なるノイズレベル測定に基づいて誤り訂正アルゴリズムを迅速に適合させることができる。この結果として、本発明は「過渡時間」による影響を受けない、または少なくとも既存のシステムと方法よりも短い「過渡時間」を示す。既存の方法は十分な量の「検査」トラフィックデータパケットが通信チャネルを通じて送信され、誤り率レベルに関して評価されていなければ、適切に働かない。本発明によれば、また、無線チャネルのノイズレベル測定を使用して、ＲＦＩＤシステムの種々のパラメータ、例えば検知閾値を設定することができるという相乗効果をもたらす。
【００１２】
本明細書において使用される用語「ノイズレベル測定」は瞬間的なノイズレベル値を測定することだけでなく、ノイズレベル値を記録して継続的に（もしくはある時間窓内で）評価することも意味する。用語「ノイズレベル測定」はまた、複数の異なる周波数帯におけるノイズレベルの測定と、異なる測定の結果の評価も意味する。これらのノイズレベル測定の適用により、異なるタイプのノイズや混信を、各々に対し識別することが可能となる。
【００１３】
ノイズレベルを測定するステップおよび誤り訂正アルゴリズムを選択するステップをＲＦＩＤリーダ内で実行し、このＲＦＩＤリーダは選択した誤り訂正アルゴリズムに関する選択情報をトランスポンダに送信すると有利である。このようにするより、本発明の実施に必要なハードウェアの適用や追加が、ＲＦＩＤリーダのみに関わるだけとなるとともに、ＲＦＩＤリーダよりはるかに大量に生産されるトランスポンダが依然として安価なレイアウトにすることができるという利点が得られる。
【００１４】
さらに、誤り訂正アルゴリズムを選択するステップを、高いノイズレベル、または不安定もしくは上昇基調のノイズレベル変動を示す場合は、より強い誤り訂正アルゴリズムを選択し、低いノイズレベル、または下降基調のノイズレベル変動を示す場合は、より弱い誤り訂正アルゴリズムを選択すると有利である。これにより、使用される誤り訂正アルゴリズムが無線チャネルの品質に対応するという利点が得られる。本明細書において使用される用語「より強い」誤り訂正アルゴリズムは、「より弱い」誤り訂正アルゴリズムより、データフレームまたはデータパッケージ内の誤りデータのより大きな部分を修正することができる誤り訂正アルゴリズムを意味する。
【００１５】
さらに他の有利な方法においては、誤り訂正アルゴリズムを選択するステップは、誤り訂正アルゴリズムの使用または不使用の選択とする。この結果として、高品質の無線チャネルの場合、最大のトラフィックデータを送信するために、誤り訂正アルゴリズムを完全にスイッチオフし、低品質の無線チャネルの場合スイッチオンにする、という利点を有する。誤り訂正アルゴリズムをスイッチオンにすることは複数の種々の誤り訂正アルゴリズムから誤り訂正アルゴリズムを選択することと組み合わせることができることに留意されたい。
【００１６】
本発明のこれら態様および他の態様は、以下の非限定的な実施例より明らかであり、これら実施例につき説明する。
【実施例】
【００１７】
図１は、ＲＦＩＤリーダ１と、多数のＲＦＩＤトランスポンダ２ａ，２ｂ（簡略化のため、ここでは２個のＲＦＩＤトランスポンダのみ示す）とを有する、ＲＦＩＤ（無線周波数識別）システムの線図的ブロック回路図である。ＲＦＩＤリーダ１は、無線チャネル２０の形態とした通信チャネルを介して、非接触形式で、変調した電磁信号によりＲＦＩＤトランスポンダ２ａ，２ｂと通信する。ＲＦＩＤリーダ１は、制御手段３、例えばマイクロプロセッサまたはマイクロコントローラを有し、この制御手段３はプログラム記憶手段４とデータバスを経て通信する。プログラム記憶手段４は、制御手段３の基本動作のためのオペレーティングシステムＯＳと、制御手段３によって処理すべきアプリケーションプログラムコードＳＷを格納するよう構成する。プログラム記憶手段４は、不揮発性メモリ、例えばＰＲＯＭ，ＥＰＲＯＭ，ＥＥＰＲＯＭ等として構成することができる。プログラム記憶手段４は、ユーザー定義可能なＡＳＩＣ，ＰＡＬ等として構成することもできる。制御手段３およびプログラム記憶手段４は、さらにシングルチップとして集積することができる。アプリケーションプログラムコードＳＷおよびオペレーティングシステムＯＳは互いに統合することができることに留意されたい。この制御手段３は、さらに、ランダムアクセスメモリ５と通信する。プログラムコードＳＷを処理する時、制御手段３は入出力手段８と連携動作する。この入出力手段８は、例えばコンピュータへのリンクインタフェースとして構成することができる。制御手段３は、さらに、ＲＦＩＤトランスポンダ２ａ，２ｂに電磁信号ＳＳを送信するアンテナ７に接続する、無線周波通信手段６とも通信する。これら電磁信号ＳＳを使用して、ＲＦＩＤトランスポンダ２ａ，２ｂにデータおよび指示を送信し、またＲＦＩＤトランスポンダ２ａ，２ｂが受動トランスポンダとして構成している場合に、このＲＦＩＤトランスポンダを付勢する。ＲＦＩＤトランスポンダ２ａ，２ｂは、ＲＦＩＤリーダに、応答信号ＲＳ１、ＲＳ２で応答する。ＲＦＩＤリーダ１とＲＦＩＤトランスポンダ２ａ、２ｂとの間におけるデータ交換を、標準データ通信プロトコルおよび標準変調方法によって行うことができる。例えば、ＲＦＩＤリーダ１からＲＦＩＤトランスポンダ２ａ，２ｂに送信された電磁信号ＳＳは、パルス幅変調信号として構成する。ＲＦＩＤトランスポンダ２ａ，２ｂからＲＦＩＤリーダ１への応答信号ＲＳ１、ＲＳ２は、例えば負荷変調信号とし、この負荷変調信号においては、電磁信号ＳＳに含まれるキャリア信号またはサブキャリア信号を、ＲＦＩＤトランスポンダ２ａ，２ｂのアンテナに接続した負荷インピーダンスを切り替えることによって変調し、これにより、変動するエネルギーをキャリア信号またはサブキャリア信号から引き出せる。ＲＦＩＤトランスポンダの負荷インピーダンスの切り替えにより、ＲＦＩＤリーダ１のアンテナ７のインピーダンスを変化させ、またこれにより、ＲＦＩＤリーダ１のアンテナ７の電圧振幅も変化させる。この電圧振幅の変化は、無線周波通信手段６に対する入力信号ＩＳとして現れる。入力信号ＩＳに含まれるデータの回収のため、入力信号ＩＳを無線周波通信手段６により整流化もしくは復調し、データストリーム信号ＤＳを生ずる。制御手段３は、データストリーム信号ＤＳ中の符号化されたデータを、例えば定義されたビットレベルと比較することで抽出し、また実行するようセットされている場合は誤り訂正アルゴリズムを実行する。
【００１８】
本発明によれば、ＲＦＩＤリーダ１は、無線チャネル２０のノイズレベルＳＮを測定するよう構成したノイズレベル測定手段１４を設ける。本発明のこの実施例において、ノイズレベル測定手段１４を無線周波通信手段６に組み込んでいるが、ＲＦＩＤリーダ１の他部分、例えば制御手段３に組み込む、またはＲＦＩＤリーダ１内の独立したコンポーネントとして構成することもできる。ノイズレベルの測定は、例えば期待値または標準偏差を計算することによって実行することができる。ノイズレベルの測定は、さらに、ノイズレベル値を記録しかつ継続的に（もしくはある時間窓内で）変化を評価する、またはノイズレベルを複数の異なる周波数帯域で測定かつこれら異なった測定を評価することによっても実行することができる。
【００１９】
ノイズレベル測定手段１４は、測定したノイズレベルＳＮを制御手段３に送る。制御手段３は、ノイズレベルＳＮに基づいて誤り訂正アルゴリズムＥＣＡ１，ＥＣＡ２〜ＥＣＡｘを選択するよう構成した誤り訂正アルゴリズム選択手段１５に応答する。適切な誤り訂正アルゴリズムを選択することは、無線チャネル２０が低品質のとき、すなわちノイズレベルＳＮが高いときに誤り訂正アルゴリズムをスイッチオンし、ノイズレベルＳＮが低いときに誤り訂正アルゴリズムをスイッチオフすることを意味する。ノイズレベルＳＮの値が誤り訂正アルゴリズムの使用を必要とするとき、種々の異なる誤り訂正アルゴリズムから最良で適切な誤り訂正アルゴリズムを選択することもでき、すなわちノイズレベルが増加するにつれ、より強い誤り訂正アルゴリズムを選択し、またその逆もあり得る。
【００２０】
誤り訂正アルゴリズム選択手段１５は、適切な誤り訂正アルゴリズムを選択して、トランスポンダ２ａ，２ｂとの更なる通信に選択した誤り訂正アルゴリズムを使うよう、制御手段３を設定する。誤り訂正アルゴリズム選択手段１５は、さらに制御手段３に対して、選択情報ＥＳをトランスポンダ２ａ，２ｂに送信するよう指示し、これにより、トランスポンダ２ａ，２ｂに対して、ＲＦＩＤリーダ１との更なる通信のためにどの誤り訂正アルゴリズムを使用しなければならないかを通知する。
【００２１】
ノイズレベルＳＮの測定するステップ、測定したノイズレベルによる適切な誤り訂正アルゴリズムを選択するステップ、およびＲＦＩＤリーダ１およびトランスポンダ２ａ、２ｂに選択した誤り訂正アルゴリズムを使用させるよう設定するステップを、周期的に繰り返し、これにより、その時点における無線チャネル２０の状態に対してＲＦＩＤシステムを最良の誤り訂正アルゴリズムに継続的かつ動的な適応を行わせる。
【００２２】
トランスポンダ２ａ，２ｂとの通信を確立するために、制御手段３は、選択した誤り訂正アルゴリズムを使用する衝突防止アルゴリズムを実行する。無線チャネル２０の誤り率レベルＥＲに関する情報を、誤り訂正アルゴリズムを処理することにより自動的に収集する。この誤り率レベルＥＲを誤り訂正アルゴリズム選択手段１５に供給し、この誤り訂正アルゴリズム選択手段１５はこの誤り率レベルＥＲを考慮に入れて、最良で適切な誤り訂正アルゴリズムを選択する。
【００２３】
図２は、ＲＦＩＤトランスポンダ２ａ，２ｂの実施態様の線図的ブロック回路図である。このＲＦＩＤトランスポンダ２ａ、２ｂの構成は、本発明を理解するための単なる一例である点に留意すべきであり、この構成は変更可能であることは当業者には明らかであろう。各ＲＦＩＤトランスポンダ２ａ，２ｂは、受動トランスポンダとして構成し、アンテナ１０、アンテナ１０に接続したアナログ無線周波インタフェース１１、アナログ無線周波インタフェース１１に接続したデジタル制御ユニット１２、デジタル制御ユニット１２に接続したメモリ１３を有する。メモリ１３は、ＥＥＰＲＯＭのような不揮発性メモリであるため、ＲＦＩＤトランスポンダ２ａ，２ｂがスイッチオフのとき、例えばＲＦＩＤリーダ１の通信範囲を離れたためＲＦＩＤリーダ１によってそれ以上付勢されないときであっても、ＲＦＩＤリーダ１との通信中にメモリ１３に書き込まれたデータは記憶され続ける。メモリ１３は、さらに、デジタル制御ユニット１２を動作させるためのプログラムコード、および固有の識別番号を有する。アンテナ１０は、電磁信号ＳＳをＲＦＩＤリーダ１から受信して、アナログ無線周波インタフェース１１に送り渡す。概して、アナログ無線周波インタフェース１１は、受信した電磁信号ＳＳからデジタル制御ユニット１２およびメモリ１３に必要な動作電圧ＶＤＤを引き出すため、整流器ＲＦＣＴと、およびキャパシタなどの集積エネルギー蓄積素子を備えた電圧調整器ＶＲＥＧとを有する。さらに、アナログ無線周波インタフェース１１は、入力トラフィックデータＤＩＮおよび選択情報ＥＳを電磁信号ＳＳから抽出してデジタル制御ユニット１２に送り渡す復調装置ＤＥＭＯＤを有する。本明細書において使用される用語「トラフィックデータ」は、ＲＦＩＤリーダとトランスポンダ２ａ、２ｂとの間で交換される有用なデータという意味であると理解されたく、指示、識別データなどもあり得る。デジタル制御ユニット１２は、受信した入力トラフィックデータＤＩＮを処理し、出力トラフィックデータＤＯＵＴを発生してＲＦＩＤリーダ１に応答することができる。デジタル制御ユニット１２は、さらに、選択情報ＥＳを評価して、選択情報ＥＳに従って誤り訂正アルゴリズムＥＣＡ１，ＥＣＡ２〜ＥＣＡｘを選択する。出力トラフィックデータＤＯＵＴを発生するとき、デジタル制御ユニット１２は選択した誤り訂正アルゴリズムに従って、必要な誤り訂正冗長データＥＣｘを加え、出力トラフィックデータＤＯＵＴおよび誤り訂正冗長データＥＣｘの双方をデータフレームやデータパケットにパックする。
【００２４】
出力トラフィックデータＤＯＵＴと共に誤り訂正冗長データＥＣｘを含むデータフレームまたはデータパケットを、その後アナログ無線周波インタフェース１１に送り渡す。アナログ無線周波インタフェース１１は、出力データＤＯＵＴを調整し、調整した信号をアンテナ１０から無線チャネル２０を経由してＲＦＩＤリーダ１まで応答信号ＲＳ１、ＲＳ２として送信するモジュレータＭＯＤを有する。
【００２５】
誤り訂正データＥＣｘおよび出力トラフィックデータＤＯＵＴを制御ユニット１２で符号化する代わりに、種々の誤り訂正アルゴリズムに従ってメモリ１３に所定の出力トラフィックデータを予め符号化した形式で格納することもできることに留意されたい。このような実施態様は、とくに出力トラフィックデータが少数の異なるデータのみからなる場合、本発明における既存タイプのトランスポンダの利用を可能にする。もちろん、この提案はメモリの「浪費」を伴う。さらに、既存のタイプのトランスポンダは符号化されていない形式で識別番号を送信する。
【００２６】
誤り訂正アルゴリズムの選択は、周期的冗長チェックの選択をも意味していることは明白である。なぜならば、周期的冗長チェックも誤り訂正の一種であるからである。
【００２７】
さらに、図示の構成は物理的な意味よりも機能的な意味をもっていることにも留意されたい。したがって、実際は、図示の構成は、より多くの物理的実体として流通されるものとすることができ、また、実際には、１個の物理的実体は複数の機能的実体を有する場合もある。従って、リーダ１やトランスポンダ２ａ，２ｂの実現が必ずしも図示されたブロックごとの区切りを反映する訳ではない。
【００２８】
さらに、図面が本発明の出願の一例の図示であり、本発明がＲＦＩＤシステムやスマートカードシステムに限定されたものではないということは、当業者にとって明らかであるであろう。本発明はむしろ、電波、音および／また光によってデータ送信が実行される、種々の送受信システムに適用される。さらにまた、本発明は無線リンクだけに限らず、ワイヤおよび光ファイバによるデータ送信も含む。
【００２９】
最後に、上述の実施態様は本発明を限定するのではなく単に例示するものであり、当業者は添付の特許請求の範囲に記載の本発明の範囲内において、多くの他の実施例を実施することが可能である点に留意されたい。特許請求の範囲において、括弧で括られる任意の参照符号は、請求項を制限するものとして解釈されない。動詞「有する」およびその活用形は、任意の請求項または仕様において定められた以外の要素やステップの存在を除外するものではない。単数形の要素の参照は、複数形の該当要素の参照を除外する物ではなく、その逆もまた真である。いくつかの手段を列挙している装置請求項において、これらの手段の一部はソフトウェアやハードウェアの単一かつ同一の要素によって実現される場合がある。一部の手段が相互に異なる従属請求項において詳述されるからといって、これらの手段の組み合わせが有効に利用されないということは意味しない。
【図面の簡単な説明】
【００３０】
【図１】本発明によるＲＦＩＤシステムの線図的ブロック回路図である。
【図２】本発明に使用するＲＦＩＤトランスポンダの線図的ブロック回路図である。
【図１】
2009519660.tif 000003
【図２】
2009519660.tif 000004
【国際調査報告】
2009519660.tif 000005
2009519660.tif 000006
2009519660.tif 000007